(57)【要約】【課題】濾布の有効利用面積に向上させ、濾過効率が低下しない装置を提供すること。また、フィルタの目詰まりを解消する装置を提供すること。さらに、固液分離に係る電気エネルギーの電力使用量を抑え、エネルギーフリー構造とする装置を提供する。【解決手段】水平に配置され、化学繊維からなる長繊維の濾布が設けられたフィルタ１と、前記フィルタ１に焼酎粕廃液を供給する供給装置３と、フィルタ１で濾した濾過液を回収するトレー２と、フィルタ１を傾けて残渣を回収するための駆動手段４と、を備えたことを特徴とする焼酎粕の廃液濾過装置１０である。【選択図】図１
2009247974.tif 000002
【特許請求の範囲】
【請求項１】
水平に配置され、化学繊維からなる長繊維の濾布が設けられたフィルタ（１）と、
前記フィルタ（１）に焼酎粕廃液を供給する供給装置（３）と、
前記フィルタ（１）で濾した濾過液を回収するトレー（２）と、
前記フィルタ（１）を傾けて残渣を回収するための駆動手段（４）と、
を備えたことを特徴とする焼酎粕の廃液濾過装置（１０）。
【請求項２】
前記フィルタ（１）が上下方向へ複数枚設けられた下部フィルタユニット（１１ｅ）と、
前記フィルタ（１）が上下方向へ複数枚設けられた上部フィルタユニット（１１ｆ）と、
を備え、
下部フィルタユニット（１１ｅ）の上に、上部フィルタユニット（１１ｆ）を重ねて配置したことを特徴とする請求項１に記載の焼酎粕の廃液濾過装置（１０）。
【発明の詳細な説明】
【技術分野】
【０００１】
本発明は、フィルタに焼酎粕廃液を供給し、固液分離する焼酎粕の廃液濾過装置に関する。
【背景技術】
【０００２】
焼酎の蒸留過程で発生する余剰廃液から、焼酎粕などの固形物を分離する焼酎粕の廃液濾過装置がある。一般に、焼酎粕の絞り粕は、粒子が極めて小さく繊維質が細かいため、フィルタを利用した場合、目詰まりがはげしく、濾過するのに時間を要する。
【０００３】
図８は、従来の焼酎粕の廃液濾過装置の全貌を示す断面図である。図８に示すように、従来の焼酎粕の廃液濾過装置２０は、同一出願人が試作研究を重ね、開発した装置である。直方体の容器２１の上部に、廃液分配器２２が配置され、下部にはフィルタユニット３０が配置されている。廃液分配器２２は、架橋フレーム３２に支持され、濾過区画室２５に１つ置きに廃液を貯蔵する区画化された廃液区画室２６を備えている。
焼酎粕廃液は、図示しない廃液槽からポンプにより上部から供給され、廃液分配器２２内の仕切り２８を乗り越えて各廃液区画室２６に注がれる。つぎに、電磁弁２７により弁２３が上昇し開口すると、焼酎粕廃液は、下部に配置されたフィルタユニット３０の濾過区画室３１に注がれる。
【０００４】
図９は、図８に示すフィルタユニットの分解斜視図である。図９に示すように、フィルタユニット３０は、立て置きにしたフィルタ３３群によって構成され、濾過区画室３１が形成されている。
図８に示すように、各２枚のフィルタ３３によって構成された濾過区画室３１に注がれた焼酎粕廃液は、綿布のフィルタで濾された液が矢印で示すように、外側に漏れ出るようにして廃液ライン３７へ回収される。フィルタ３３とフィルタ３３の間に残った残渣の固形分は、シャットオフ弁３４の開口によって、固形ライン３８へと別々に回収される。
【特許文献１】特開２００７−２８３１８５号公報
【発明の開示】
【発明が解決しようとする課題】
【０００５】
しかしながら、図８、図９に示すような従来の焼酎粕の廃液濾過装置は、フィルタが立列に並べて焼酎粕廃液（以下、廃液）をためる方式では、濾過の経過にしたがって、水面が下がってくるため、下部で処理することになり、フィルタの有効利用面積が減少する結果になり、濾過効率が低下するという問題があった。
また、従来のフィルタには綿布の濾布を使用していたため、目詰まりが激しく、濾布が頻繁に目詰まりを起すので、頻繁に交換が必要になり、メンテナンスに多大な労力がかかり、その間濾過作業を中断しなければならないという問題があった。
【０００６】
これまで、濾布１ａとして使用されていた綿布（従来から豆腐や醤油のしぼりに使用されてきている）は、目詰まりをさせながら濾過能力を上げるという逆手の使い方であった。植物性綿布の濾布の特徴は、短繊維であり、毛ば立ちした毛が多く、この毛が残渣を捕捉する。
そこで、フィルタ１の濾布１ａに短繊維の綿布を採用した場合、傾斜させて残渣を排出させようとして傾斜させても、毛に捕捉され、また、綿布の隙間に入り込んだ細かな残渣が付着して排出されず、２回目、３回目の焼酎粕廃液の供給で、濾過能力も喪失してしまい、濾布自体を交換しなければならないという問題があった。
【０００７】
そこで、本発明では、固液を分離する焼酎粕の廃液濾過装置において、濾布の有効利用面積に向上させ、濾過効率が低下しない焼酎粕の廃液濾過装置を提供することを第１の課題とする。また、フィルタの目詰まりを解消する装置を提供することを第２の課題とする。さらに、固液分離に係る電気エネルギーの電力使用量を抑え、エネルギーフリー構造とする装置を提供することを第３の課題とする。
【課題を解決するための手段】
【０００８】
本発明の請求項１に係る発明の焼酎粕の廃液濾過装置（１０）は、水平に配置され、化学繊維からなる長繊維の濾布が設けられたフィルタ（１）と、前記フィルタ（１）に焼酎粕廃液を供給する漏斗（３）と、前記フィルタ（１）で濾した濾過液を回収するトレー（２）と、前記フィルタ（１）を傾けて残渣を回収するための駆動手段（４）と、を備えたことを特徴とする。
【０００９】
本発明の請求項２に係る発明は、請求項１に記載の焼酎粕の廃液濾過装置であって、前記フィルタ（１）が上下方向へ複数枚設けられた下部フィルタユニット（１１ｅ）と、前記フィルタ（１）が上下方向へ複数枚設けられた上部フィルタユニット（１１ｆ）と、を備え、下部フィルタユニット（１１ｅ）の上に、上部フィルタユニット（１１ｆ）を重ねて配置したことを特徴とする。
【発明の効果】
【００１０】
請求項１に係る本発明の焼酎粕の廃液濾過装置によれば、フィルタが水平に配置され、化学繊維からなる長繊維の濾布が設けられたことにより、短繊維の綿布のような毛ばたちがなく、濾布の目詰まりが起きにくいため、メンテナンスフリーの廃液濾過装置を提供することができる。また、水平配置によりフィルタの有効面積をフルに使うことができるので、高い濾過効率を発揮することができる。さらに、濾布交換のメンテナンスに多大な労力がかかり頻繁な濾布の交換等が不要になることから、経済的である。また、フィルタの水平配置により、重力を利用した濾過装置となる固液分離装置にしたことにより、固液分離に係る電気および化石燃料の使用量を抑え、エネルギーフリー構造とすることができる。
【００１１】
請求項２に係る本発明の焼酎粕の廃液濾過装置によれば、フィルタが上下方向へ複数枚設けられた下部フィルタユニットの上に、上部フィルタユニットを重ねて配置したことにより、２段、３段、４段重ねが可能であり、濾過に時間を要する濾過効率を向上させると共に、さらに、多大な労力がかかり頻繁な濾布の交換等が不要になることから、極めて経済的である。
【発明を実施するための最良の形態】
【００１２】
本発明の処理方法を施す「焼酎粕の廃液」とは、焼酎の原料であるところの米や麦等に麹菌と酵母を作用させて得られるいわゆる「二次もろみ」を、最終製品である焼酎を調製するために行う蒸留過程において生成する廃液のことをいう。
なお、本発明の処理方法を施す対象となる焼酎は、現在焼酎乙類として分類される本格焼酎のことをいい、醸造用アルコールを薄めた甲類焼酎は対象外である。さらに、乙類焼酎であれば、本発明の処理方法を施しうる種類が限定されるものではなく、芋焼酎、米焼酎、麦焼酎、そば焼酎、黒糖焼酎、白糠焼酎、きび焼酎等について本発明の処理方法を施すことが可能である。
【００１３】
本発明の焼酎粕の廃液濾過装置の実施形態について、適宜図面を参照しながら詳細に説明する。
図１は、本発明の焼酎粕の廃液濾過装置の正面図であり、図２は図１の右側面図である。図１に示すように、焼酎粕の廃液濾過装置１０は、左ユニット１１ａと右ユニット１１ｂの２つから構成されている。また、左ユニット１１ａには２つの下部、上部のフィルタユニット１１ｃ，１１ｄが構成され、右ユニット１１ｂにも２つの下部、上部のフィルタユニット１１ｅ，１１ｆが構成されており、左右に２つずつ、上下に２段重ねに配置されている。
なお、フィルタユニット１１の説明は、図１の右下に図示された下部フィルタユニット１１ｅについてのみ、詳細に説明し、その他は同符合を付し、詳細に説明は省略する。
下部フィルタユニット１１eのケースの外形は、図１に示す正面視で、正方形に形成され、そのサイズは約１．１ｍである。また、図２に示す側面視では長方形に形成され、その長方形の長さは約１．６ｍである。
【００１４】
図１に示すように、焼酎粕の廃液濾過装置１０の架台であるフレーム１２は軽量鉄骨によって構成され、床（フロア）６の上には、ベース１２ａが配置され、このベース１２ａから上方へ８本のポスト１２ｂが立設され、左ユニット１１ａと右ユニット１１ｂのつなぎには、下方にステー１２ｃと中央にステー１２ｄ、上方に柵１２ｆが設けられている。また、上部フィルタユニット１１ｄ，１１ｆのメンテナンス用に、図示しない梯子が背面に配置され、２階には足場の床１２ｈ（図２参照）が設けられている。
また、左ユニット１１ａと右ユニット１１ｂとは、左右対称に構成されている。
【００１５】
下部フィルタユニット１１ｅは、図２の下方に示すように、複数枚設けられたフィルタ１と、濾過液を回収するトレー２と第１樋５（図１参照）と、焼酎粕廃液を供給する漏斗３と、残渣を排出するための駆動手段４のエアシリンダ４ａと、残渣を回収する第２樋９（図１参照）と、から構成されている。図２に示すように、フィルタユニット１１ｅの両側からシャフト（軸）１１ｇが突設されており。この両端のシャフト１１ｇが両端に設けられた軸受箱４ｅに回動自在に挿通されている。なお、下部フィルタユニット１１ｅと上部下部フィルタユニット１１ｆとは、それぞれ同様である。
【００１６】
図３は、図１に示すフィルタの拡大断面図である。図３に示すように、フィルタ１の外枠１ｂには開口部が形成され、この開口部には金網１ｃの底板が固定されている。そして、金網１ｃの上面に濾布１ａが設けられ、濾布１ａは外枠１ｂの縁に配置した押え金具１ｄによって固定されている。フィルタ１の深さは約５０〜７０ｍｍであり、金網１ｃの下面近傍には１〜３度の傾斜角を有してトレー２が配置されている。
フィルタ１は、例えば、１０枚が水平に配置され、上下方向へ等間隔に設けられている    
。また、フィルタ１の濾布１ａは、化学繊維の長繊維から構成されており、外枠１ｂ上面    
に張り、４５度の傾斜で残渣が流れ落ちる際に、外枠１ｂに出っ張り等の障害がないよう    
になっている。
【００１７】
化学繊維の長繊維とは、綿花の短繊維を紡いで糸にするのではなくて、化学的に作り出した一本の細い糸が途切れずに通った長い繊維をいう。化学繊維には多くの種類がある。石油を原料にした石油化学製品と、パルプなど植物を原料にして作られている。強靭で耐摩耗性のあるナイロン、ポリエチレンテレフタレート樹脂を溶融紡糸した合成繊維のポリエステル、プロピレンを重合して製造されるポリプロピレン製等は濾布に好適である。
また、湿式紡糸の方法で製造されるセルロース系の繊維のレーヨンや、酢酸ビニルから誘導されたポリビニルアルコールを原料とする合成繊維であるビニロンであってもよい。石油を原料とする合成繊維で、シルクに似た長繊維のアクリルであっても構わない。なお、化学繊維のアクリルは、ウールに似た性質の短繊維のものも製造されているが、アクリルの短繊維は不向きである。
【００１８】
図４は、濾布の種類別の目詰まりの検証結果を示す折れ線グラフである。縦軸が濾過された濾過液の量（ｃｃ）、横軸が焼酎粕廃液の供給回数である。また、折れ線グラフの黒丸印は、フィルタが短繊維の濾布のときのデータ、白丸印はフィルタが長繊維の濾布のときのデータである。
このデータは、短繊維の綿布（黒丸印）と化学繊維の長繊維の濾布（白丸印）に５分間毎、フィルタ１の濾布１ａに焼酎粕廃液を１００ｃｃ供給し、濾過されて落下する濾過液量（ｃｃ）を測定したものである。なお、データは５分置きに測定したものである。
【００１９】
図４から判るように、黒丸印の綿布の短繊維は、最初、ほとんど目詰まりがないため、濾過量が１４ｃｃともっとも多く、２回目から８回目までは、低落傾向が顕著であり、６ｃｃ〜５．５ｃｃで一定となる。これは、綿布がフィルタの場合、綿布特有の毛ばたちが多く、残渣への絡みつきにより、また、残渣が隙間の奥深く入り込むため、と考えられる。
これに対し、白丸印の長繊維の場合は、最初の１回目から１０回目までの濾過量に変化がなく、７．５〜７．０ｃｃの範囲でほぼ一定であることが判る。これは、長繊維の濾布の場合、毛ばたちがないため、残渣との絡みつきがなく、さらに目詰まりが起こしにくいため、と考えられる。この結果はメンテナンスフリーであるとする証明でもある。
【００２０】
そこで、本発明は、濾布の目詰まりが起きにくい特徴のある化学繊維の長繊維をフィルタ１に使用することで、目詰まりの問題を解消した。長繊維の特徴は、毛ばたちが一切ないため、毛へのからみつきがなく、また、隙間に入り込んでも残渣が付着することがない。そのため、フィルタ１を傾斜させただけで、残渣がきれいにすべり落ちて排出されることが判った。それにより、目詰まりのない、繰り返しの使用が可能な濾布を提供できる。濾布の目詰まりが起こらないので、濾過の作業が安定する。メンテナンスが容易である点が、もっとも圧倒的に有利なメリットである。
【００２１】
トレー２は、図３に示すように、フィルタ１の下面にそれぞれ接近させて配置されている。正面視のトレー２には内側に向かって濾過液が流れるように内向きに１〜３度の傾斜角が設けられているが、図２に示す側面視でのトレー２には傾斜角は不要である。正面視のトレー２には、１度の傾斜角を採用している。これにより、フィルタ１の枚数、例えば１０枚分だけ、トレー２が配置されて、１回で１０枚分の濾過ができる。この結果、濾過効率を飛躍的に高めることができる。
フィルタ１で濾した濾過液はトレー２を流下させ、第１樋５（図１参照）で回収している。
【００２２】
供給装置３は、漏斗、または、如雨露（じょうろ）、または、それ以外の供給装置であってよい。供給装置３は、１０本に分岐された熊手のような形状をしており、フィルタ１にそれぞれ１本の漏斗３が配置されて焼酎粕廃液を供給する。フィルタユニット１１ｅには太い１本のパイプが配管され、この太いパイプからゴムホースまたはビニールホース等の可撓性のある柔軟な材質で構成したホース８が電磁弁７を介して接続されている。フィルタユニット１１ｅの４５度の回動に伴う漏斗３の回動は、このホース８により、支障がなくできる。
この電磁弁７は、アルコールにより膨潤しない材質のシールを内蔵した電磁バルブであり、焼酎粕廃液の供給を流通（ＯＮ）、遮断（ＯＦＦ）する。
この電磁弁７から前記した１０本に分岐された漏斗３が配管され、漏斗３の１本ずつが各フィルタ１に配管されている。
【００２３】
第１樋５は、図１に示すように、左ユニット１１ａの右（中央）側と、右ユニット１１ｂの左（中央）側に配設され、一旦各トレー２で受けて流下させた後、各トレー２から流下した濾過液をまとめて回収する。この第１樋５の設置により、濾過液が外に飛散することを防止している。
また、第２樋９は、左ユニット１１ａの左（外）側と、右ユニット１１ｂの右（外）側に配設されており、残渣を流下させて回収する。各フィルタユニット１１ｃ〜１１ｆの下部には、回動の際の干渉がない位置に大きく勾配が設けられたシュート９ａが配置されている。この第２樋９の設置により、残渣が外に飛散することが遮断される。
これらの第１樋５および第２樋９、シュート９ａ等は、ステンレス薄板またはその代替品によって形成されている。
【００２４】
駆動手段４は、環境にやさしいエアシリンダ４ａであり、漏れがあっても大気中に開放    
されるため、床９が汚れることがない。このエアシリンダ４ａは、後端部を中心に回動可    
能にした２山タイプのクレビス形エアシリンダである。なお、１山タイプのクレビス形で    
あってもよい。シリンダ４ａの後退端には回動自在にピン穴が設けられている。また、フ    
レーム（架台）１２のベース１２ａにはステー１２ｇが突設されており、このピン穴とシ    
リンダ４ａのピン穴にピン４ｅが装着され、エアシリンダ４ａが回動自在になっている。      
また、ポスト１２ｂとポスト１２ｂに渡したステー（横架材）１２ｅの中央には軸受箱      
４ｅがボルトによって固定されている。この軸受箱４ｅにはフィルタユニット１１ｅのシ      
ャフト（軸）１１ｇが挿通され、挿通されたシャフト１１ｇの端面にアーム４ｆが固定さ      
れ、シャフト１１ｇを回動自在に支持している。
また、シリンダ４ａのピストンロッド４ｂには、図１に示すように、リンク機構が構成    
されている。また、長尺リンク４ｄもそれぞれのアーム４ｆの先端に設けられたピン穴と長尺リンク４ｄの両端に設けられたピン穴とがピン４ｇによって連結され、かつ、この接続ピン４ｇには、シリンダロッド４ｂの先端部が連結されている。
【００２５】
つまり、下部フィルタユニット１１ｅのシャフト１１ｇが軸受箱４ｅに軸支され、このシャフト１１ｇに固定された第１アーム４ｆと、上部フィルタユニット１１ｆのシャフト１１ｇが軸受箱４ｅに軸支され、このシャフト１１ｇに固定された第２アーム４ｈに、長尺リンク４ｄの両端を連結し、駆動手段４のエアシリンダ４ａを第１アーム４ｆに連結したことによって、下部フィルタユニット１１ｅと上部フィルタユニット１１ｆと、を一本のエアシリンダ４ａによって連動させて傾けることができる。
このエアシリンダ４ａの駆動により、濾過液を回収する中央側とは反対方向の外側にフィルタ１を大きく傾け、例えば床面との角度αが４５度に傾けると、残渣（固体とは言えないほどの液体が含んでいる状態になっている）は、毛ばたちが一切ない化学繊維の長繊維の濾布１ａから、絡みが小さいため、スムーズにすべり落ちて排出される（破線の矢印参照）。この状態で一定時間の傾斜により、残渣のほとんどがすべり落ち、第２樋９に流下する。
【００２６】
つぎに、焼酎粕の廃液濾過装置１０の動作について説明する。
図５は、駆動手段の駆動によりフィルタユニットの姿勢が回動した状態を示す正面図である。なお、フィルタユニット１１ｃ，１１ｄ，１１ｅ，１１ｆの回動は同じであるので、フィルタユニット１１ｅを中心に説明する。
フィルタユニット１１ｅの通常の姿勢は、図１、図２に示すように、床（フロア）６に平行であり、１０枚のフィルタ１の姿勢も床６に平行であるが、フィルタ１の下面に近接するトレー２は１度の傾斜面になっている。そこで、サイクルタイム５分のうち最初の４分間は漏斗３から焼酎粕廃液が供給される。この焼酎粕廃液が供給されると、図３に示すフィルタ１の濾布１ａによって濾過された濾過液がトレー２に落ち、トレー２を流下して第１樋５に集められ、図示しないタンクに回収される。
また、４分間供給の後、１分間の供給停止により、フィルタ１に供給された焼酎粕廃液が、フィルタ１の濾過機能によりすべて濾過させるに十分な時間となっている。
【００２７】
１サイクル５分間の２０秒前に、図５に示す駆動手段４のエアシリンダ４ａに駆動指令が入いると、図示しない空圧電磁弁が切り替えられ、高圧エア（０．５ＭＰａ）によってピストンロッド４ｂが伸張する。そうすると、図５に示すように、右ユニット１１ｂのフィルタユニット１１ｅ，１１ｆは、リンク機構の働きによりαが４５度、左回転方向へ回動する。同様に左ユニット１１ａのフィルタユニット１１ｃ，１１ｄも、リンク機構の働きにより、αが４５度分だけ、左回転方向へ回動して静止する。
なお、仕様によっては、αは６０度であってもよいし、９０度であっても構わない。
そうすると、フィルタ１の長繊維の濾布１ａ上に残った残渣が、すべり落ちて第２樋９に直接落下する。あるものは下部に設けられたシュート９ａにガイドされて第２樋９に流下し、図示しないタンクに回収される。
この約５秒間の傾斜により、長繊維の濾布１ａ上にたまった残渣がすべり落ちて、第２樋５に回収される。
そして、フィルタユニット１１の姿勢を元に戻すため、１サイクルの１０秒前に、図示しない空圧電磁弁が切り替えられ、エアシリンダ４ａのピストンロッド４ｂが短縮されて水平状態に戻され、１サイクル５分の工程が終了する。その後は、この１サイクル５分の繰り返しであり、昼夜問わず、延々と２４時間繰り返される。
【００２８】
なお、図１に示す焼酎粕の廃液処理装置１０は、１バッチ当り、１ｔｏｎの焼酎粕の廃液を濾過する処理能力あり、建屋のレイアウトに合わせて高層配置、平置き配置が可能であり、柔軟な構成が容易である。
図６は高層配置を示す正面図、図７は平置き配置を示す正面図である。図６に示すように、顧客の建屋の天井の高さに余裕がある場合は、フロアスペースを節約した高層配置にする。このように、廃液処理装置１０の高さを３重、４重にすることができる。また、図７に示すように、顧客の建屋の天井の高さに制約がある場合は、平置き配置にすることも可能であり、いかようにも対応できる柔軟性を備えている。
【００２９】
以上述べたように、本発明の焼酎粕の廃液処理装置によれば、従来の処理装置とは比較にならないほどの簡素な構成の組み合わせであり、固液分離処理に重力だけを利用するため、電気エネルギーを極力使用いない、ＣＯ２の発生を抑えたエネルギーフリー構造である。また、長繊維の濾布を採用することにより、短繊維の綿布のような濾過能力の喪失や、頻繁な濾布自体の交換の必要がなく、メンテナンスフリーを可能にした。フィルタの目詰まりがないフィルタの採用により、メンテナンスフリーの焼酎粕の廃液濾過装置を提供することができる。
なお、この焼酎粕の廃液処理装置は、焼酎粕以外の液を濾過する浄化装置としても利用することができる。
【図面の簡単な説明】
【００３０】
【図１】本発明の焼酎粕の廃液濾過装置の正面図である。
【図２】図１の右側面図である。
【図３】図１に示すフィルタの拡大断面図である。
【図４】濾布の種類別の目詰まりの検証結果を示す折れ線グラフである。
【図５】駆動手段の駆動によりフィルタユニットの姿勢が回動した状態を示す正面図である。
【図６】高層配置を示す正面図である。
【図７】平置き配置を示す正面図である。
【図８】従来の焼酎粕の廃液濾過装置の全貌を示す断面図である。
【図９】図８に示すフィルタユニットの分解斜視図である。
【符号の説明】
【００３１】
１    フィルタ
１ａ  濾布（長繊維の布）
１ｂ  外枠
１ｃ  金網
１ｄ  外枠
２    トレー
３    供給装置
４    駆動手段
４ａ  エアシリンダ
４ｂ  ピストンロッド
４ｃ  ピン
４ｄ  長尺リンク
４ｅ  ピン
４ｆ  第１アーム
４ｇ  ピン
４ｈ  第２アーム
５    第１樋（濾過液用）
６    床（フロア）
７    電磁弁
８    ホース
９    第２樋（残渣用）
１０  廃液濾過装置
１１  フィルタユニット
１１ｃ，１１ｅ  下部フィルタユニット
１１ｄ，１１ｆ  上部フィルタユニット
１１ａ  左ユニット
１１ｂ  右ユニット
１１ｇ  シャフト（軸）
【図１】
2009247974.tif 000003
【図２】
2009247974.tif 000004
【図３】
2009247974.tif 000005
【図４】
2009247974.tif 000006
【図５】
2009247974.tif 000007
【図６】
2009247974.tif 000008
【図７】
2009247974.tif 000009
【図８】
2009247974.tif 000010
【図９】
2009247974.tif 000011